(57)【要約】      （修正有）【課題】操作部に電線を介して接続された回路基板を容易に取り外すことができる加熱調理器を提供する。【解決手段】筐体３の前端部に操作部８が設けられている。筐体３内には回路基板６１が設けられている。回路基板６１には電線５３１の一端部が接続されている。電線５３１の回路基板６１とは反対側の端部には、コネクターが設けられている。コネクターは、操作部８に設けられたコネクター接続部に着脱可能に接続されている。筐体３内には、操作部８の後方に位置するコネクター配置空間２５が形成されている。コネクター配置空間２５にコネクター接続部及びコネクターが配置されている。コネクター配置空間２５は、操作部８が筐体３の前端部から取り外されたときに前方に向かって開放される。【選択図】図４
2018035989.tif 000002
【特許請求の範囲】
【請求項１】
上方に開口した筐体と、
前記筐体の上方を覆う天板と、
前記筐体内に設けられ、前記天板上に配置された被加熱物を加熱するための加熱部と、
前記筐体の前端部に着脱可能に設けられた操作部と、
前記筐体内に設けられた回路基板と、
前記操作部に設けられたコネクター接続部と、
一端部が前記回路基板に電気的に接続された電線と、
前記電線の前記回路基板とは反対側の端部に設けられ、前記コネクター接続部に着脱可能に接続されたコネクターとを備え、
前記筐体内に前記操作部の後方に位置するコネクター配置空間が形成され、
前記コネクター配置空間に前記コネクター接続部及び前記コネクターが配置され、
前記コネクター配置空間は、前記操作部が前記前端部から取り外されたときに前方に向かって開放される空間であることを特徴とする加熱調理器。
【請求項２】
前記電線である第１電線、前記コネクターである第１コネクター、前記回路基板である第１回路基板に加えて、
一端部が前記第１回路基板に電気的に接続された第２電線と、
前記第２電線の前記第１回路基板とは反対側の端部に設けられた第２コネクターと、
前記筐体内に設けられた第２回路基板と、
一端部が前記第２回路基板に電気的に接続された第３電線と、
前記第３電線の前記第２回路基板側とは反対側の端部に設けられ、前記第２コネクターに着脱可能に接続された第３コネクターとを備え、
前記コネクター配置空間に前記第２コネクター及び前記第３コネクターが配置されたことを特徴とする請求項１に記載の加熱調理器。
【請求項３】
前記回路基板を収納するケースをさらに備え、
前記操作部として、
前記筐体の前記前端部の右側部分に着脱可能に設けられた右側操作部と、
前記筐体の前記前端部の左側部分に着脱可能に設けられた左側操作部とを備え、
前記コネクター接続部として、
前記右側操作部に設けられた右側コネクター接続部と、
前記左側操作部に設けられた左側コネクター接続部とを備え、
前記電線として、
一端部が前記回路基板に電気的に接続され、前記回路基板とは反対側の部分が前記ケースの右側部分から引き出された右側電線と、
一端部が前記回路基板に電気的に接続され、前記回路基板とは反対側の部分が前記ケースの左側部分から引き出された左側電線とを備え、
前記コネクターとして、
前記右側電線の前記回路基板とは反対側の端部に設けられ、前記右側コネクター接続部に着脱可能に接続された右側コネクターと、
前記左側電線の前記回路基板とは反対側の端部に設けられ、前記左側コネクター接続部に着脱可能に接続された左側コネクターとを備え、
前記コネクター配置空間として、
前記筐体内において前記右側操作部の後方に位置する右側コネクター配置空間と、
前記筐体内において前記左側操作部の後方に位置する左側コネクター配置空間とを備え、
前記右側コネクター配置空間に前記右側コネクター接続部及び前記右側コネクターが配置され、
前記右側コネクター配置空間は、前記右側操作部が前記前端部から取り外されたときに前方に向かって開放される空間であり、
前記左側コネクター配置空間に、前記左側コネクター接続部及び前記左側コネクターが配置され、
前記左側コネクター配置空間は、前記左側操作部が前記前端部から取り外されたときに前方に向かって開放される空間であることを特徴とする請求項１又は請求項２に記載の加熱調理器。
【発明の詳細な説明】
【技術分野】
【０００１】
本発明は加熱調理器に関する。
【背景技術】
【０００２】
特許文献１には、加熱調理器が開示されている。この加熱調理器はガスこんろであり、こん炉本体の外郭を構成する本体筐体の内部には、被加熱物を加熱する加熱部として、３個のガスバーナーが設けられている。本体筐体の前面には、操作部として、火力調節を行うための操作つまみや、自動調理モードを設定するための設定パネルが設けられている。また、本体筐体の内部には、表示器が設けられている。表示器は、回路基板に設けられた液晶表示パネルを備えており、この液晶表示パネルは加熱調理器の天板に形成された透明部分を透してガスこんろの各種動作状態を外部に表示する。
【先行技術文献】
【特許文献】
【０００３】
【特許文献１】特開２０１０−６５８７８号公報
【発明の概要】
【発明が解決しようとする課題】
【０００４】
上述したように、特許文献１には、本体筐体の前面に操作部を設けること、及び本体筐体の内部に回路基板を設けることが開示されている。しかし、特許文献１には回路基板と操作部とを電線を介して接続することが開示されていない。ましてや、特許文献１には、加熱調理器のメンテナンス等を行うにあたって、操作部に電線を介して接続された回路基板を取り外す際の作業性を向上させることは開示されていない。
【０００５】
本発明は前記事情に鑑みてなされたものであり、操作部に電線を介して接続された回路基板を容易に取り外すことができる加熱調理器を提供することを目的とする。
【課題を解決するための手段】
【０００６】
前記目的を達成するために本発明に係る一態様の加熱調理器は、筐体、天板、加熱部、操作部、回路基板、コネクター接続部、電線、及びコネクターを備える。前記筐体は上方に開口している。前記天板は、前記筐体の上方を覆う。前記加熱部は、前記筐体内に設けられ、前記天板上に配置された被加熱物を加熱する。前記操作部は、前記筐体の前端部に着脱可能に設けられている。前記回路基板は、前記筐体内に設けられている。前記コネクター接続部は、前記操作部に設けられている。前記電線の一端部は、前記回路基板に電気的に接続されている。前記コネクターは、前記電線の前記回路基板とは反対側の端部に設けられ、前記コネクター接続部に着脱可能に接続されている。前記筐体内に前記操作部の後方に位置するコネクター配置空間が形成されている。前記コネクター配置空間に前記コネクター接続部及び前記コネクターが配置されている。前記コネクター配置空間は、前記操作部が前記前端部から取り外されたときに前方に向かって開放される空間である。
【発明の効果】
【０００７】
本発明に係る加熱調理器は、操作部に電線を介して接続された回路基板を容易に取り外すことができる。
【図面の簡単な説明】
【０００８】
【図１】図１は、本発明に係る一実施形態の加熱調理器の斜視図である。
【図２】図２は、同上の加熱調理器の調理器本体をキッチンカウンターに設置した状態を示した断面図である。
【図３】図３は、同上の加熱調理器の天板を取り外した状態を示した斜視図である。
【図４】図４は、同上の加熱調理器の要部の分解斜視図である。
【図５】図５Ａ〜図５Ｃは同上の加熱調理器の表示装置ユニットを示し、図５Ａは正面図であり、図５Ｂは平面図であり、図５Ｃは底面図である。
【図６】図６は、図５ＢのＡ−Ａ線断面図である。
【図７】図７は、同上の表示装置ユニットの外側ケース及びファンの図示を省略した斜視図である。
【図８】図８は、同上の表示装置ユニットの外側ケース、ファン、及び内側ケースの図示を省略した斜視図である。
【図９】図９は、同上の加熱調理器を平面図で示した説明図である。
【図１０】図１０は、同上の加熱調理器の他の分解斜視図である。
【発明を実施するための形態】
【０００９】
以下に示す実施形態は、加熱調理器に関し、詳しくは、筐体内に回路基板が設けられ、筐体の前端部に操作部が設けられた加熱調理器に関する。
【００１０】
図１に示す本実施形態の加熱調理器は、いわゆるビルトイン式のガスこんろ１であり、キッチンカウンター９に形成された開口部９０（図２参照）に落とし込んで設置される。以下、ガスこんろ１をキッチンカウンター９に設置した状態における方向を基準にして説明する。具体的には、通常の利用位置に居る利用者がガスこんろ１を見たときを基準として左右方向を定義し、当該利用者からガスこんろ１に向かう方向を後方、ガスこんろ１から当該利用者に向かう方向を前方とする。
【００１１】
ガスこんろ１は、調理器本体２と、調理器本体２の上方に配置された天板１３とを備えている。調理器本体２は、筐体３を有している。
【００１２】
筐体３は、調理器本体２の外郭を構成している。筐体３は、例えば、ステンレス鋼板等の金属板から形成される。
【００１３】
筐体３は、図３に示すように、上方に開口した左右方向に長い矩形箱状に形成されている。筐体３は、底板部３０、前板部３１、左右の側板部３２，３３、及び後板部３４を有している。
【００１４】
前板部３１は、底板部３０の前端部から上方に向かって突出している。左右の側板部３２，３３は、底板部３０の左右両側端部からそれぞれ上方に向かって突出している。後板部３４は、底板部３０の後端部から上方に向かって突出している。筐体３の上端には、上方に開口する上開口部３５が形成されている。前板部３１、左右の側板部３２，３３、及び後板部３４は、筐体３の前面、左右の側面、及び後面をそれぞれ構成している。
【００１５】
筐体３の内側には、こんろバーナー４、グリル１０、表示装置ユニット６、第１電路５１（図４参照）、及び第２電路５２（図４参照）等が設けられている。
【００１６】
前板部３１の上端部には、後方に凹んだ凹溝部３６が左右方向に亘って形成されている。調理器本体２は、図２に示すように、凹溝部３６にキッチンカウンター９の開口部９０の前縁部が嵌め込まれ、この状態でキッチンカウンター９に設置される。
【００１７】
図１に示す天板１３は、例えばガラス製である。天板１３は筐体３上に設置され、筐体３の上開口部３５を覆う。
【００１８】
（こんろバーナー）
調理器本体２は、天板１３上に配置された被加熱物を加熱する加熱部として、こんろバーナー４を有している。
【００１９】
本実施形態の調理器本体２は、こんろバーナー４として、図３に示すように、筐体３内の前部に左右に並べて配置された２つのこんろバーナー４０，４１と、筐体３内の後部に配置された１つのこんろバーナー４２とを有している。
【００２０】
以下、こんろバーナー４０を右側バーナー４０といい、こんろバーナー４１を左側バーナー４１という。また、こんろバーナー４２を中央バーナー４２という。
【００２１】
右側バーナー４０は筐体３内の前部の右側部分に配置されており、左側バーナー４１は、筐体３内の前部の左側部分に配置されている。中央バーナー４２は、正面視において、右側バーナー４０と左側バーナー４１との間に配置されている。
【００２２】
図１に示すように、天板１３において各こんろバーナー４に対応する箇所には、上下方向に貫通したバーナー用孔１４〜１６が形成されている。すなわち、バーナー用孔１４〜１６は、天板１３において前部の左右両側部分と、後部の左右方向における中央部とに形成されている。各こんろバーナー４は対応するバーナー用孔１４〜１６を通して天板１３の上方に突出している。
【００２３】
天板１３において各こんろバーナー４に対応する箇所には、五徳１７が配置される。各五徳１７は、天板１３上に配置された調理容器等の被加熱物を支持する。各こんろバーナー４は、対応する五徳１７で支持された被加熱物を加熱する。
【００２４】
各こんろバーナー４には、温度センサー４３が設けられている。各温度センサー４３は、対応する五徳１７で支持された被加熱物の温度を検出可能な位置に配置されている。
【００２５】
（グリル）
本実施形態の調理器本体２は、図４に示すグリル１０をさらに有している。グリル１０は、グリル庫１１と、グリル扉１２とを有している。グリル庫１１は、筐体３内における左右方向の中央部に位置している。
【００２６】
グリル庫１１は、前方に開口した箱状に形成されている。筐体３の前板部３１における左右方向の中央部には、前後方向に貫通した前開口部３７が形成されている。グリル庫１１の内部は、前開口部３７を通して筐体３の前方に開口する。グリル扉１２は前開口部３７を開閉可能に閉塞している。グリル庫１１には、グリル庫１１内に配置された魚等の被加熱物を加熱するためのグリル用バーナー（図示せず）が設けられている。
【００２７】
（表示装置ユニット）
本実施形態の調理器本体２は、表示装置ユニット６をさらに有している。表示装置ユニット６は、回路基板６１を含んでいる。表示装置ユニット６は、図３に示すように筐体３内の前部の左右方向における中央部に設けられており、筐体３に対して着脱可能に取り付けられている。すなわち、回路基板６１は筐体３に対して着脱可能に設けられている。
【００２８】
表示装置ユニット６は、右側バーナー４０の左方に位置し、左側バーナー４１の右方に位置し、かつ中央バーナー４２の前方に位置している。すなわち、中央バーナー４２、左側バーナー４１、及び右側バーナー４０は、表示装置ユニット６の周囲に配置されており、表示装置ユニット６は、右側バーナー４０、左側バーナー４１、及び中央バーナー４２で囲まれている。
【００２９】
表示装置ユニット６（回路基板６１）は、筐体３内の上端部に位置し、天板１３の下面に沿って配置されている。また、表示装置ユニット６は、グリル庫１１の上方に位置している。
【００３０】
図５Ａ〜図５Ｃ及び図６に示すように、表示装置ユニット６は、ケース６０、回路基板６１、表示装置６２、ファン６３、及びケース６４を有している。以下、回路基板６１を第１回路基板６１という。また、ケース６０を内側ケース６０といい、ケース６４を外側ケース６４という。
【００３１】
図７に内側ケース６０を示す。本実施形態の内側ケース６０は、樹脂ケースである。図６に示すように、第１回路基板６１は厚み方向を上下方向と平行にした状態で内側ケース６０に収納されている。
【００３２】
表示装置６２は、ガスこんろ１の各種動作状態を表示する。本実施形態の表示装置６２は、液晶表示パネル６５と、複数のＬＥＤ（発光ダイオード）６６（図８参照）とを有している。
【００３３】
液晶表示パネル６５は表示面６７を有している。表示面６７はガスこんろ１の動作状態を文字及び図柄で表示する。液晶表示パネル６５は、表示面６７を上向きにして第１回路基板６１の上面に実装されている。液晶表示パネル６５は第１回路基板６１によって制御される。
【００３４】
図８に示す複数のＬＥＤ６６の各々は、ガスこんろ１の動作状態を表示する光源として機能する。各ＬＥＤ６６は発光方向が上方となるように第１回路基板６１の上面に実装されている。各ＬＥＤ６６は、第１回路基板６１により制御される。各ＬＥＤ６６の点灯状態は、第１回路基板６１により、ガスこんろ１の動作状態に応じて変更される。
【００３５】
図５Ａ〜図５Ｃに外側ケース６４を示す。外側ケース６４は、表示装置ユニット６の外郭を構成している。本実施形態の外側ケース６４は、金属製のケースである。
【００３６】
外側ケース６４には、内側ケース６０とファン６３とが収納されている。すなわち、本実施形態の第１回路基板６１は、内側ケース６０と外側ケース６４とで２重に収納されている。このため、各こんろバーナー４やグリル１０で発生した熱は、第１回路基板６１に伝わり難く、第１回路基板６１が高温になって、故障や不具合等が生じることが抑制される。
【００３７】
図６に示すように、内側ケース６０の上面部と外側ケース６４の上面部の各々において、液晶表示パネル６５の表示面６７に対応する部分には、上下方向に貫通する窓孔６８が形成されている。なお、図６中、符号７９は、外側ケース６４に取り付けられた、透光性を有するカバーであり、カバー７９は外側ケース６４の窓孔６８を覆っている。
【００３８】
表示面６７は、表示装置ユニット６の上方からカバー６４、内側ケース６０の窓孔６８、及び外側ケース６４の窓孔６８を通して視認可能である。
【００３９】
また、内側ケース６０の上面部及び外側ケース６４の上面部の各々において、複数のＬＥＤ６６に対応する部分には、窓孔６９が形成されている。各ＬＥＤ６６は、表示装置ユニット６の上方から、外側ケース６４の窓孔６９、及び内側ケース６０の窓孔６９を通して視認可能である。
【００４０】
図１に示すように、天板１３において表示面６７及び複数のＬＥＤ６６に対応する部分には、透光性を有する透光部１８が形成されている。表示面６７の表示及び各ＬＥＤ６６の発光は、天板１３の上方から透光部１８を透して視認可能である。このため、利用者は、表示面６７の表示及び各ＬＥＤ６６の発光状態を見て、ガスこんろ１の動作状態を確認できる。
【００４１】
図５Ａ〜図５Ｃに示すように、外側ケース６４の右側部分（詳しくは右側端部）には、第１回路基板６１（図８参照）を冷却するためのファン６３が収納されている。ファン６３は第１回路基板６１に電線７０を介して電気的に接続されている。
【００４２】
外側ケース６４には、図５Ａに示す吸気口７１と排気口７２とが形成されている。吸気口７１は外側ケース６４の右側部分（詳しくは右側端部）に形成されており、ファン６３の吸込口７３に通じている。排気口７２は、外側ケース６４の左側部分（詳しくは左側端部）に形成されており、ファン６３の吹出口７４に通じている。
【００４３】
ファン６３の駆動は、第１回路基板６１によって制御される。ファン６３が駆動すると、外側ケース６４外の空気は、吸気口７１から外側ケース６４内に流入し、この後、内側ケース６０の近傍を通って排気口７２から外側ケース６４の外部に流出する。このファン６３の駆動により生じた送風により、内側ケース６０及び内側ケース６０内に配置された第１回路基板６１は冷却される。
【００４４】
図３に示すように、本実施形態では、筐体３内に設けられる部品として、表示装置ユニット６の上方に位置する防熱板７６が設けられている。防熱板７６は、外側ケース６４において、表示面６７及び複数のＬＥＤ６６に対応する部分を除く残りの部分の上方を覆い、天板１３から表示装置ユニット６に熱が伝わることを抑制する。
【００４５】
表示装置ユニット６は、筐体３に対して着脱可能に取り付けられている。ガスこんろ１をメンテナンスする際や、ガスこんろ１の動作確認をする際等には、作業者は、筐体３から天板１３及び防熱板７６を取り外すことで、表示装置ユニット６を筐体３の上方から容易に取り外すことができる。
【００４６】
（第２回路基板）
本実施形態の調理器本体２は、回路基板２２（図９参照）をさらに有している。以下、この回路基板２２を第２回路基板２２という。
【００４７】
第２回路基板２２は筐体３内の右側部分に設けられており、第１回路基板６１から離れて位置している。
【００４８】
第２回路基板２２には、各こんろバーナー４に設けられた温度センサー４３、安全弁、ガス流量弁、及び熱電対、並びにグリル１０に設けられた安全弁及びガス流量弁が図示しない電線を介して電気的に接続されている。第２回路基板２２は、各こんろバーナー４に設けられた温度センサー４３、安全弁、ガス流量弁、及び熱電対、並びにグリル１０に設けられた安全弁及びガス流量弁を制御する。
【００４９】
第１回路基板６１と第２回路基板２２は、後述する第２電路５２を介して電気的に接続されている。第２回路基板２２は、各こんろバーナー４の温度センサー４３で検出された温度が所定温度を超えたとき、対応するこんろバーナー４を消火する。また、この内容は第２回路基板２２に取り込まれた後、第２回路基板２２から第１回路基板６１に送信され、第１回路基板６１が制御するスピーカ（報知部）により使用者に報知される。
【００５０】
第２回路基板２２は筐体３に対して着脱可能に取り付けられている。筐体３内における第２回路基板２２の上方には、筐体３内に設けられる部品として、図３に示す煮汁受け２３、バーナー支持台２４、及び右側こんろバーナー４０が設けられている。煮汁受け２３、バーナー支持台２４、及び右側こんろバーナー４０は、この順序で下方から順に配置されている。
【００５１】
煮汁受け２３は、筐体３に着脱可能に取り付けられている。煮汁受け２３は、右側こんろバーナー４０が通されたバーナー用孔１４（図１参照）の下方に位置しており、バーナー用孔１４を通じて筐体３内に入った煮汁を受ける。このため、第２回路基板２２には、煮汁がかかり難い。
【００５２】
バーナー支持台２４は、筐体３に着脱可能に取り付けられている。右側こんろバーナー４０はバーナー支持台２４に取り付けられている。
【００５３】
ガスこんろ１をメンテナンス等する際には、筐体３から天板１３、右側こんろバーナー４０、バーナー支持台２４、及び煮汁受け２３を取り外すことで、第２回路基板２２を筐体３の上方から取り外すことが可能になる。
【００５４】
第２回路基板２２は第１回路基板６１よりも下方に位置しており、第１回路基板６１と比較して、筐体３の上開口部３５までの上下方向の距離が長い。第２回路基板２２を筐体３から取り外すにあたって、筐体３から取り外す必要のある部品の数は、表示装置ユニット６を筐体３から取り外すにあたって、筐体３から取り外す必要のある部品の数よりも多い。このため、第２回路基板２２は、表示装置ユニット６（第１回路基板６１）と比較して筐体３から取り外し難い。
【００５５】
（操作部）
図１０に示すように、調理器本体２は、筐体３の前端部を構成する前板部３１に設けられた操作部８をさらに有している。本実施形態の調理器本体２は、複数の操作部８を有している。具体的に調理器本体２は、操作部８として、前板部３１の右側部分に設けられた右側操作部８Ｒと、前板部３１の左側部分に設けられた左側操作部８Ｌとの２つの操作部８を有している。
【００５６】
右側操作部８Ｒは、こんろバーナー４０〜４２用の操作部である。本実施形態の右側操作部８Ｒは、複数の操作器８１，８２を一体化した操作器ユニットで構成されている。右側操作部８Ｒは、後述する第１電路５１（詳しくは右側電線５３１Ｒ）を介して第１回路基板６１に電気的に接続されている。
【００５７】
右側操作部８Ｒが操作された際、この操作内容は、第１回路基板６１に取り込まれた後、第１回路基板６１から第２回路基板２２に送信される。これにより、第２回路基板２２は、対応するこんろバーナー４の温度センサー４３や点火プラグや安全弁やガス流量弁を制御し、対応するこんろバーナー４の点火や消火や火力を変更する。つまり、右側操作部８Ｒが操作された内容は、第１回路基板６１を介して第２回路基板２２に送信され、第２回路基板２２は、この内容に基づいてこんろバーナー４０〜４２を制御する。
【００５８】
具体的に右側操作部８Ｒは、操作器として、上下に並べて配置された第１操作器８１及び第２操作器８２を有している。
【００５９】
第１操作器８１は、こんろバーナー４０〜４２に対して１対１の関係でそれぞれ設けられた複数の操作つまみ８３を有している。利用者は、各操作つまみ８３を押すことで、対応するこんろバーナー４０〜４２の点火と消火の指令を行うことができる。また、利用者は、各操作つまみ８３を回転することで、対応するこんろバーナー４０〜４２の火力の変更の指令を行うことができる。
【００６０】
図４に示すように第２操作器８２は第１操作器８１と連結されている。第２操作器８２は、図１０から明らかなように、いわゆるカンガルーポケット式の操作器であり、下部を支点にして前後に回転する操作体８４を有している。操作体８４の上面には、複数の操作ボタン８５が設けられている。利用者はこれら複数の操作ボタン８５を操作することで、各こんろバーナー４０〜４２を用いた自動調理の設定の指令を行うことができる。
【００６１】
左側操作部８Ｌは、グリル１０用の操作部８である。左側操作部８Ｌは、後述する第１電路５１（詳しくは左側第１電線５３１Ｌ）を介して第１回路基板６１に電気的に接続されている。左側操作部８Ｌが操作された際、この操作内容は、第１回路基板６１に取り込まれた後、第１回路基板６１から第２回路基板２２に送信される。これにより、第２回路基板２２は、グリル１０に設けられた安全弁及びガス流量弁を制御し、グリル１０の点火や消火や火力を変更する。本実施形態の左側操作部８Ｌは、第２操作器８２と同様、カンガルーポケット式の操作器であり、下部を支点にして前後に回転する操作体８６を有している。
【００６２】
操作体８６の上面には、複数の操作ボタン８７が設けられている。利用者は、これら複数の操作ボタン８７を操作することで、グリル用バーナーの点火と消火の指令、グリル用バーナーの火力の変更の指令、及びグリル用バーナーを用いた自動調理の設定の指令を行うことができる。
【００６３】
右側操作部８Ｒ及び左側操作部８Ｌは、筐体３の前板部３１に対して着脱可能に取り付けられている。
【００６４】
本実施形態では、図４に示すように、前板部３１において、各操作部８に対応する箇所に、操作部８が嵌め込まれる嵌込孔３８が形成されている。
【００６５】
前板部３１には、嵌込孔３８として、前板部３１の右側部分に形成された右側嵌込孔３８Ｒと、前板部３１の左側部分に形成された左側嵌込孔３８Ｌとが形成されている。各嵌込孔３８は前板部３１を前後方向に貫通した正面視矩形状の孔である。
【００６６】
各操作部８は、対応する嵌込孔３８に嵌め込まれた状態で前板部３１に対して着脱可能に取り付けられている。このように前板部３１に取り付けられた各操作部８は、対応する嵌込孔３８を閉塞する。各嵌込孔３８に取付けられた操作部８は、筐体３の前方から取り外すことができる。
【００６７】
（コネクター配置空間）
筐体３内の前端部には、操作部８の後方に位置するコネクター配置空間２５が形成されている。本実施形態のガスこんろ１は、複数のコネクター配置空間２５を備えている。具体的にガスこんろ１は、コネクター配置空間２５として、右側コネクター配置空間２５Ｒと、左側コネクター配置空間２５Ｌとを備えている。
【００６８】
右側コネクター配置空間２５Ｒは、右側操作部８Ｒの後方に位置している。右側コネクター配置空間２５Ｒは、右側操作部８Ｒ、凹溝部３６の下面部の右側部分、右側の側板部３３の前端部、及び底板部３０の右側部分の前端部によって囲まれている。
【００６９】
右側操作部８Ｒが筐体３の前板部３１から取り外されたとき、右側コネクター配置空間２５Ｒは、右側嵌込孔３８Ｒから筐体３の前方に向かって開放される。
【００７０】
左側コネクター配置空間２５Ｌは、左側操作部８Ｌの後方に位置している。左側コネクター配置空間２５Ｌは、左側操作部８Ｌ、凹溝部３６の下面部の左側部分、左側の側板部３２の前端部、及び底板部３０の左側部分の前端部によって囲まれている。左側操作部８Ｌが筐体３の前板部３１から取り外されたとき、左側コネクター配置空間２５Ｌは、左側操作部８Ｌが配置されていた左側嵌込孔３８Ｌから筐体３の前方に向かって開放される。
【００７１】
（第１電路）
調理器本体２は、操作部８と第１回路基板６１とを電気的に接続する電路５１をさらに有している。以下、この電路５１を第１電路５１という。
【００７２】
図９はガスこんろ１の概略説明図である。図９に示すように、第１電路５１は、操作部８に設けられたコネクター接続部８８と、一端部が第１回路基板６１に電気的に接続された電線（ハーネス）５３１と、電線５３１の第１回路基板６１とは反対側の端部に設けられ、コネクター接続部８８に着脱可能に接続されたコネクター５４１とを有している。以下、電線５３１を第１電線５３１といい、コネクター５４１を第１コネクター５４１という。
【００７３】
本実施形態の第１電路５１は、複数のコネクター接続部８８を有している。具体的に第１電路５１は、コネクター接続部８８として、右側操作部８Ｒの後面に直接設けられた右側コネクター接続部８８Ｒと、左側操作部８Ｌの後面に直接設けられた左側コネクター接続部８８Ｌとを有している。
【００７４】
本実施形態の第１電路５１は、第１電線５３１として、右側操作部８Ｒと第１回路基板６１とを接続する右側電線５３１Ｒと、左側操作部８Ｌと第１回路基板６１とを接続する左側第１電線５３１Ｌとを有している。
【００７５】
右側電線５３１Ｒの一端部は、第１回路基板６１の右側部分に電気的に接続されている。図５Ｃに示すように、内側ケース６０の右側部分及び外側ケース６４の右側部分の各々には、右側電線用孔７７Ｒ，７８Ｒが形成されている。右側電線５３１Ｒの第１回路基板６１とは反対側の部分は、これら右側電線用孔７７Ｒ，７８Ｒを通して、外側ケース６４の下方に引き出されている。
【００７６】
図９に示すように、左側第１電線５３１Ｌの一端部は、第１回路基板６１の左側部分に電気的に接続されている。図５Ｃに示すように、内側ケース６０の左側部分及び外側ケース６４の左側部分の各々には、左側電線用孔７７Ｌ，７８Ｌが形成されている。左側第１電線５３１Ｌの第１回路基板６１とは反対側の部分は、これら左側電線用孔７７Ｌ，７８Ｌを通して、外側ケース６４の下方に引き出されている。
【００７７】
図９に示すように、本実施形態の第１電路５１は、第１コネクター５４１として、右側電線５３１Ｒの第１回路基板６１とは反対側の端部に設けられた右側コネクター５４１Ｒと、左側第１電線５３１Ｌの第１回路基板６１とは反対側の端部に設けられた左側コネクター５４１Ｌとを有している。
【００７８】
右側コネクター５４１Ｒは右側コネクター接続部８８Ｒに着脱可能に接続されている。これにより、右側操作部８Ｒは、右側コネクター接続部８８Ｒ、右側コネクター５４１Ｒ、及び右側電線５３１Ｒを順に介して第１回路基板６１に電気的に接続されている。
【００７９】
右側コネクター５４１Ｒ及び右側コネクター接続部８８Ｒは、右側コネクター配置空間２５Ｒ（図４参照）に配置されている。すなわち、右側コネクター５４１Ｒと右側コネクター接続部８８Ｒとは、右側コネクター配置空間２５Ｒにおいて接続されている。
【００８０】
左側コネクター５４１Ｌは左側コネクター接続部８８Ｌに着脱可能に接続されている。これにより左側操作部８Ｌは、左側コネクター接続部８８Ｌ、左側コネクター５４１Ｌ、及び左側第１電線５３１Ｌを順に介して第１回路基板６１に電気的に接続されている。
【００８１】
左側コネクター５４１Ｌ及び左側コネクター接続部８８Ｌは、左側コネクター配置空間２５Ｌ（図４参照）に配置されている。すなわち、左側コネクター５４１Ｌと左側コネクター接続部８８Ｌとは、左側コネクター配置空間２５Ｌにおいて接続されている。
【００８２】
（第２電路）
調理器本体２は、第１回路基板６１と第２回路基板２２とを電気的に接続する電路５２をさらに有している。以下、この電路５２を第２電路５２という。
【００８３】
第２電路５２は、第１回路基板６１側の電線（ハーネス）５３２及びコネクター５４２、並びに第２回路基板２２側の電線（ハーネス）５３３及びコネクター５４３を有している。以下、電線５３２を第２電線５３２といい、コネクター５４２を第２コネクター５４２という。また、電線５３３を第３電線５３３といい、コネクター５４３を第３コネクター５４３という。
【００８４】
第２電線５３２の一端部は、第１回路基板６１に電気的に接続されている。第２電線５３２の第１回路基板６１とは反対側の部分は、図５Ｃに示すように、右側電線用孔７７Ｒ，７８Ｒを通して、外側ケース６４の下方に引き出されている。図９に示すように、第２電線５３２の第１回路基板６１と反対側の端部には、第２コネクター５４２が設けられている。
【００８５】
第３電線５３３の一端部は、第２回路基板２２に電気的に接続されている。第３電線５３３の第２回路基板２２と反対側の端部には、第３コネクター５４３が設けられている。この第３コネクター５４３には第２コネクター５４２が着脱可能に接続されている。これにより、第２回路基板２２は、第３電線５３３、第３コネクター５４３、第２コネクター５４２、及び第２電線５３２を順に介して、第１回路基板６１に電気的に接続されている。
【００８６】
図４にも示す第２コネクター５４２及び第３コネクター５４３は、右側コネクター配置空間２５Ｒに配置されている。すなわち、第２コネクター５４２と第３コネクター５４３は、右側コネクター配置空間２５Ｒにおいて接続されている。
【００８７】
（表示装置ユニットの取外作業）
本実施形態のガスこんろ１をメンテナンス等する際には、表示装置ユニット６を筐体３から取り外す場合がある。この場合、作業者は、筐体３から天板１３を取り外した後、筐体３の上開口部３５を通じて上方から防熱板７６（図１０参照）を取り外し、この後、同じく筐体３の上開口部３５を通じて上方から表示装置ユニット６を取り外す。
【００８８】
ところで、表示装置ユニット６を取り外す前の状態では、表示装置ユニット６の第１回路基板６１は、第１電路５１を介して操作部８に接続され、かつ第２電路５２を介して第２回路基板２２に接続されている。このため、作業者は、表示装置ユニット６を取り外す際には、第１コネクター５４１（右側コネクター５４１Ｒ及び左側コネクター５４１Ｌ）と第１コネクター接続部８８（右側コネクター接続部８８Ｒ及び左側コネクター接続部８８Ｌ）との接続を解除すると共に、第２コネクター５４２と第３コネクター５４３との接続を解除する必要がある。
【００８９】
本実施形態のガスこんろ１にあっては、作業者は、筐体３の前板部３１から右側操作部８Ｒを取り外すことで、右側コネクター５４１Ｒと右側コネクター接続部８８Ｒとの接続を、簡単に解除できる。すなわち、作業者は、右側操作部８Ｒを前板部３１から取り外すことで、右側操作部８Ｒに設けられた右側コネクター接続部８８Ｒ及びこれに接続された右側コネクター５４１Ｒを、右側嵌込孔３８Ｒから筐体３の前方に引き出すことができる。このため、作業者は、筐体３の前方において、右側コネクター接続部８８Ｒから右側コネクター５４１Ｒを簡単に取り外すことができる。
【００９０】
また、上記のように右側操作部８Ｒを前板部３１から取り外すことで、右側コネクター配置空間２５Ｒに配置された第２コネクター５４２及び第３コネクター５４３が、右側嵌込孔３８Ｒを介して筐体３の前方に露出する。このため、作業者は、第２コネクター５４２と第３コネクター５４３との接続の解除を、右側嵌込孔３８Ｒを介して筐体３の前方から容易に行うことができる。
【００９１】
ここで、第２電線５３２の第２コネクター５４２側の端部及び第３電線５３３の第３コネクター５４３側の端部のうちの少なくとも一方が、結束バンド、クランプ、テープ、チューブ等の結束手段により、右側電線５３１Ｒの右側コネクター５４１Ｒ側の端部に結束されていることが好ましい。このようにすると、右側操作部８Ｒが前板部３１から取り外されたときには、第２コネクター５４２及び第３コネクター５４３が第１コネクター５４１と共に、右側嵌込孔３８Ｒから筐体３の前方に引き出される。このため、作業者は、第２コネクター５４２と第３コネクター５４３との接続の解除を、筐体３の前方において容易に行うことができる。
【００９２】
なお、第２電線５３２及び第３電線５３３は、第１電線５３１に結束されなくてもよい。この場合も、作業者は、正面視において、第１操作器８１と第２操作器８２との２つの操作器を有する右側操作部８Ｒと略同じ大きさで広い右側コネクター配置空間２５Ｒにおいて、第２コネクター５４２と第３コネクター５４３との接続を容易に解除できる。
【００９３】
また、作業者は、筐体３の前板部３１から左側操作部８Ｌを取り外すことで、左側コネクター５４１Ｌと左側コネクター接続部８８Ｌとの接続を簡単に解除できる。すなわち、作業者は、左側操作部８Ｌを前板部３１から取り外すことで、左側操作部８Ｌに設けられた左側コネクター接続部８８Ｌ及びこれに接続された左側コネクター５４１Ｌを左側嵌込孔３８Ｌから筐体３の前方に引き出すことができる。このため、作業者は、筐体３の前方において、左側コネクター接続部８８Ｌから左側コネクター５４１Ｌを簡単に取り外すことができる。
【００９４】
このように、第１コネクター５４１と第１コネクター接続部８８との接続の解除、並びに第２コネクター５４２と第３コネクター５４３との接続の解除は、筐体３の前板部３１から操作部８を取り外すことで、容易に行うことができる。このため、作業者はガスこんろ１のメンテナンス等を容易に行うことができる。特にこの場合、作業者は、表示装置ユニット６と比較して取り外し難い第２回路基板２２を筐体３から取り外すことなく、表示装置ユニット６を筐体３から取り外すことができるため、ガスこんろ１のメンテナンス等が容易になる。
【００９５】
また、第１コネクター５４１（右側コネクター５４１Ｒ及び左側コネクター５４１Ｌ）が、仮に天板１３の直下に位置する表示装置ユニット６の近傍に配置された場合、天板１３上からバーナー用孔１４〜１６を介して筐体３内に流れ込んだ煮汁が第１コネクター５４１にかかってしまい、接触不良等の不具合が生じる可能性がある。しかし、本実施形態の第１コネクター５４１は、操作部８後方のコネクター配置空間２５（右側コネクター配置空間２５Ｒ及び左側コネクター配置空間２５Ｌ）に配置されているため、煮汁が係り難く、不具合が生じ難い。
【００９６】
（補足）
なお、本実施形態の第１回路基板６１は、表示装置ユニット６に組み込まれているが、単独で筐体３内に設けられてもよい。
【００９７】
また、コネクター接続部８８は、操作部８に電線を介して接続されたコネクターであってもよい。
【００９８】
また、本実施形態の加熱調理器は、コネクター配置空間２５に配置される第１コネクター５４１として、右側コネクター５４１Ｒと左側コネクター５４１Ｌを備えているが、第１コネクター５４１を１つのみ備えてもよいし、３以上備えてもよい。なお、この場合も第１コネクター５４１は、操作部８後方のコネクター配置空間２５に配置される。
【００９９】
また、第２コネクター５４２及び第３コネクター５４３は、左側コネクター配置空間２５Ｌに配置されてもよい。
【０１００】
また、本実施形態の加熱調理器は、第２回路基板２２を備えているが、第２回路基板２２は省略可能である。すなわち、この場合、第２電線５３２、第２コネクター５４２、第３電線５３３、及び第３コネクター５４３は、省略される。
【０１０１】
また、加熱調理器はガスこんろ１に限られず、抵抗線を有する電気焜炉や、電磁誘導加熱調理器（ＩＨ調理器）等であってもよい。
【０１０２】
また、この他、本実施形態の加熱調理器は、適宜設計変更可能である。
【０１０３】
（効果）
以上説明した本実施形態の加熱調理器は、以下の特徴を有する。加熱調理器は、筐体３、天板１３、加熱部（こんろバーナー４）、操作部８、回路基板（第１回路基板）６１、コネクター接続部８８、電線（第１電線）５３１、及びコネクター（第１コネクター）５４１を備える。筐体３は、上方に開口した箱状である。天板１３は、筐体３の上方を覆っている。加熱部は、筐体３内に設けられており、天板１３上に配置された被加熱物を加熱する。操作部８は、筐体３の前端部に着脱可能に設けられている。回路基板６１は筐体３内に設けられている。コネクター接続部８８は操作部８に設けられている。電線５３１の一端部は、回路基板６１に電気的に接続されている。コネクター５４１は、電線５３１の回路基板６１とは反対側の端部に設けられており、コネクター接続部８８に着脱可能に接続されている。筐体３内には、操作部８の後方に位置するコネクター配置空間２５が形成されている。コネクター配置空間２５にコネクター接続部８８及びコネクター５４１が配置されている。コネクター配置空間２５は、操作部８が筐体３の前端部から取り外されたときに前方に向かって開放される空間である。以下、この特徴を有する加熱調理器を、第１の態様の加熱調理器という。
【０１０４】
第１の態様の加熱調理器にあっては、作業者は、操作部８を筐体３の前端部から取り外すことで、コネクター接続部８８及びコネクター５４１を筐体３の前方に露出させ、コネクター接続部８８とコネクター５４１との接続の解除を、筐体３の前方から容易に行うことができる。このため、回路基板６１を筐体３から取り外しやすくなり、加熱調理器のメンテナンス等を容易に行うことができる。
【０１０５】
また、本実施形態の加熱調理器は、第１の態様の加熱調理器において、以下の付加的な特徴を有する。加熱調理器は、第１電線５３１、第１コネクター５４１、第１回路基板６１に加えて、第２電線５３２、第２コネクター５４２、第２回路基板２２、第３電線５３３、及び第３コネクター５４３を備える。第２電線５３２の一端部は、第１回路基板６１に電気的に接続されている。第２コネクター５４２は、第２電線５３２の第１回路基板６１とは反対側の端部に設けられている。第２回路基板２２は筐体３内に設けられている。第３電線５３３の一端部は、第２回路基板２２に電気的に接続されている。第３コネクター５４３は、第３電線５３３の第２回路基板２２側とは反対側の端部に設けられ、第２コネクター５４２に着脱可能に接続されている。コネクター配置空間２５に第２コネクター５４２及び第３コネクター５４３が配置されている。以下、この特徴を有する加熱調理器を第２の態様の加熱調理器という。
【０１０６】
第２の態様の加熱調理器にあっては、作業者は、操作部８を筐体３の前端部から取り外すことで、第２コネクター５４２及び第３コネクター５４３を露出させ、この第２コネクター５４２と第３コネクター５４３との接続の解除を、筐体３の前方から容易に行うことができる。
【０１０７】
また、本実施形態の加熱調理器は、第１又は第２の態様の加熱調理器において、以下の付加的な特徴を有する。加熱調理器は、回路基板６１を収納するケース（内側ケース６０，外側ケース６４）をさらに備えている。加熱調理器は、操作部８として、筐体３の前端部の右側部分に着脱可能に設けられた右側操作部８Ｒと、筐体３の前端部の左側部分に着脱可能に設けられた左側操作部８Ｌとを備えている。加熱調理器は、コネクター接続部８８として、右側操作部８Ｒに設けられた右側コネクター接続部８８Ｒと、左側操作部８Ｌに設けられた左側コネクター接続部８８Ｌとを備えている。加熱調理器は、電線５３１として、一端部が回路基板６１に電気的に接続され、回路基板６１とは反対側の部分がケースの右側部分から引き出された右側電線５３１Ｒと、一端部が回路基板６１に電気的に接続され、回路基板６１とは反対側の部分がケースの左側部分から引き出された左側電線５３１Ｌとを備える。加熱調理器は、コネクター５４１として、右側電線５３１Ｒの回路基板６１とは反対側の端部に設けられ、右側コネクター接続部８８Ｒに着脱可能に接続された右側コネクター５４１Ｒと、左側電線５３１Ｌの回路基板６１とは反対側の端部に設けられ、左側コネクター接続部８８Ｌに着脱可能に接続された左側コネクター５４１Ｌとを備えている。加熱調理器は、コネクター配置空間２５として、筐体３内において右側操作部８Ｒの後方に位置する右側コネクター配置空間２５Ｒと、筐体３内において左側操作部８Ｌの後方に位置する左側コネクター配置空間２５Ｌとを備えている。右側コネクター配置空間２５Ｒに右側コネクター接続部８８Ｒ及び右側コネクター５４１Ｒが配置されている。右側コネクター配置空間２５Ｒは、右側操作部８Ｒが筐体３の前端部から取り外されたときに前方に向かって開放される空間である。左側コネクター配置空間２５Ｌに、左側コネクター接続部８８Ｌ及び左側コネクター５４１Ｌが配置されている。左側コネクター配置空間２５Ｌは、左側操作部８Ｌが筐体３の前端部から取り外されたときに前方に向かって開放される空間である。以下、この特徴を有する加熱調理器を第３の態様の加熱調理器という。
【０１０８】
第３の態様の加熱調理器にあっては、作業者は、右側操作部８Ｒを筐体３の前端部から取り外すことで、右側コネクター５４１Ｒ及び右側コネクター接続部８８Ｒを露出させ、この右側コネクター５４１Ｒと右側コネクター接続部８８Ｒとの接続の解除を、筐体３の前方から容易に行うことができる。また、作業者は、左側操作部８Ｌを筐体３の前端部から取り外すことで、左側コネクター５４１Ｌ及び左側コネクター接続部８８Ｌを露出させ、この左側コネクター５４１Ｌと左側コネクター接続部８８Ｌとの接続の解除を、筐体３の前方から容易に行うことができる。
【符号の説明】
【０１０９】
１  ガスこんろ（加熱調理器）
１３  天板
２２  第２回路基板
２５  コネクター配置空間
２５Ｒ  右側コネクター配置空間
２５Ｌ  左側コネクター配置空間
３  筐体
４  こんろバーナー（加熱部）
５３１  第１電線（電線）
５３１Ｒ  右側電線
５３１Ｌ  左側電線
５３２  第２電線
５３３  第３電線
５４１  第１コネクター（コネクター）
５４１Ｒ  右側コネクター
５４１Ｌ  左側コネクター
５４２  第２コネクター
５４３  第３コネクター
６０  内側ケース（ケース）
６１  第１回路基板
６４  外側ケース（ケース）
８  操作部
８Ｒ  右側操作部
８Ｌ  左側操作部
８８  コネクター接続部
８８Ｒ  右側コネクター接続部
８８Ｌ  左側コネクター接続部
【図１】
2018035989.tif 000003
【図２】
2018035989.tif 000004
【図３】
2018035989.tif 000005
【図４】
2018035989.tif 000006
【図５】
2018035989.tif 000007
【図６】
2018035989.tif 000008
【図７】
2018035989.tif 000009
【図８】
2018035989.tif 000010
【図９】
2018035989.tif 000011
【図１０】
2018035989.tif 000012